(57)【特許請求の範囲】
【請求項１】
基板となるハウジングに一対の軸受部と、この軸受部に軸支される軸の軸線と直交する向の線と平行した一対の第１摺動溝とが形成され、キィートップの背面にも一対の軸受部と、この軸受部に軸支される軸の軸線と直交する向の線と平行した一対の第２摺動溝とが形成され、これら各一対の軸受部と第１摺動溝及び第２摺動溝にＸ字状に組立てられた一対のリンク部材の各一端に形成した軸を係合させてパンタグラフ機構を構成し、このパンタグラフ機構によって上記キィートップを水平姿勢に維持して上下動させるキィーボードスイッチにおいて、
上記ハウジングの上記キィートップ装着側の面に上記ハウジングの面から間隔を保持して一対の天井板が取付けられ、これら一対の天井板と上記ハウジングの間に形成された間隙によって上記一対の第１摺動溝が形成され、上記一対の天井板の互に向き合う側面は互いに平行な部分と、これら平行な部分とそれぞれ連続し、上記軸受部から離れるに従って対向間隔が漸次大きくなる切欠部分とを有することを特徴とするキィーボードスイッチ。
【発明の詳細な説明】
【０００１】
【発明の属する技術分野】
この発明は例えばパーソナルコンピュータのキィーボード或はワードプロセッサのキィーボード等に利用することができるキィーボードスイッチに関する。
【０００２】
【従来の技術】
一般にキィーボードスイッチの支持機構は、例えば筒体同士の係合によって構成される垂直摺動機構が採られている。垂直摺動機構によればキィートップの端に押下操作力を与えた場合、垂直摺動機構に片寄った操作力が与えられるため、摺動がしぶり円滑な摺動が阻害され、操作感が悪くなる欠点がある。
【０００３】
この欠点を解消するために、本出願人は先に「特願平７−２０９６８３号、特願平７−２１０５１５号、特願平７−２１２１６８号」等によりパンタグラフ機構によってキィートップを支持する構造のキィーボードスイッチを提案した。
パンタグラフ機構によってキィートップを支持する構造にすることにより、キィートップの端を押下操作しても、キィートップは水平な姿勢を維持して押下され、感触のよい操作感が得られる。
【０００４】
図３に先に提案したパンタグラフ機構によってキィートップを上下動させる構造としたキィーボードスイッチの一例を示す。図中１はキィーボードを構成する基板を示す。基板１の上面にメンブレンシート２が積層される。メンブレンシート２は図４に示すように、２枚の絶縁シート２Ａ，２Ｂがスペーサ２Ｃにより所定の間隔を保持して積層合体され、その対向面に導電パターン２Ｄ，２Ｅが形成される。この導電パターン２Ｄ，２Ｅによって接点を構成し、上部から上側の絶縁シート２Ａを押圧することにより導電パターン２Ｄと２Ｅを接触させ接点信号を発信させる。
【０００５】
３はメンブレンシート２の上面に積層したハウジングを示す。ハウンジング３にはメンブレンシート２の接点形成部分と対向して孔４（図４参照）が形成され、この孔４の部分に、例えばシリコンゴムのような弾性材で形成したドーム状体５を配置する。ドーム状体５は図４に断面で示すように上下方向に屈曲することができるスカート部分５Ａと、このスカート部分５Ａの上部に付した押釦部５Ｂとによって構成される。なお、５Ｃは空気抜き用の切欠を示す。
【０００６】
６及び７は一対のリンク部材を示す。リンク部材６及び７は図５に示すように、リンク部材６は中央部分にドーム状体５を押圧する押圧部６Ａを有し、外側の面に他方のリンク部材７に形成した軸７Ａと係合する孔６Ｂとを具備して構成される。リンク部材７の軸７Ａがリンク部材６に形成した孔６Ｂに係合し、Ｘ字状に組み合わされる。
【０００７】
リンク部材６にはその両端部に外向きに軸６Ｃと６Ｄが突設される。リンク部材７には一端側に軸７Ｂが差し渡されて形成され、他端側に軸７Ｃが外向きに突設される。
軸７Ｂは図３に示すようにキィートップ８の裏面に設けられた一対の軸受部８Ａに係合し、軸６Ｄはハウジング３に形成した一対の軸受部３Ａに係合し、これら軸７Ｂと６Ｄは回転自在に支持される。これに対し軸６Ｃはキィートップ８の裏側に形成した一対の摺動溝８Ｂに係合し、軸７Ｃはハウジング３に形成した一対の摺動溝３Ｂに係合され、軸７Ｃは摺動溝３Ｂによって直線状に案内される。
つまり、ハウジング３のキィートップ８の装着側の面に、軸７Ｃの直径よりわずかに大きい程度の間隔を保持して一対の天井板３Ｃが設けられ、これら一対の天井板３Ｃとハウジング３との間に形成される間隙によって摺動溝３Ｂを形成する。摺動溝３Ｂの軸線は軸受部３Ａに軸支される軸６Ｄの軸線と直交する向の線と平行して配置され、この摺動溝３Ｂの軸線方向に軸７Ｃを摺動させて案内する。
キィートップ８の非押下状態ではリンク部材６に形成した押圧部６Ａがドーム状体５の押釦部５Ｂの頂面と係合し、ドーム状体５の弾性によってリンク部材６と７は立ち上がった状態、つまりキィートップ８が上死点位置に保持される。
【０００８】
キィートップ８を押下操作すると、リンク部材６と７はハウジング３の面に近づく方向に変位する。このときリンク部材６に形成した押圧部６Ａがドーム状体５を押しつぶし、押釦部５Ｂでメンブレンシート２の接点部を押圧し、接点信号を発信させる。
【０００９】
【発明が解決しようとする課題】
リンク部材７に形成した軸７Ｃはハウジング３に形成した摺動溝３Ｂに係合させる。軸７Ｃを互いに向き合って配置された摺動溝３Ｂに係合させるには図５Ｂに示すようにリンク部材７を内向に湾曲させて軸７Ｃの先端を摺動溝３Ｂを構成するための天井板３Ｃ（図６）の内側を通過させて摺動溝３Ｂに挿入しなければならない。
【００１０】
リンク部材７を内向に湾曲させる場合、リンク部材７を弾性限界範囲以上に折曲げ、いわゆる白化現象を発生させてしまうため、リンク部材７の強度を著しく低下させてしまう事故が起きるおそれがある。特にキィーを小形化した場合はリンク部材７の寸法が短かくなるため、軸７Ｃを天井板３Ｃの突出量Ｄ以上に湾曲させようとすると、リンク部材７を破損させてしまうおそれがある。
【００１１】
この発明の目的はリンク部材７に形成した軸７Ｃをハウジング３に形成した摺動溝３Ｂに挿入して組立てる際に、リンク部材の湾曲量を小さくし、リンク部材の破損事故の発生を軽減しようとするものである。
【００１２】
【課題を解決するための手段】
この発明では基板となるハウジングに一対の軸受部と、この軸受部に軸支される軸の軸線と直交する向の線と平行した一対の第１摺動溝とが形成され、キィートップの背面にも一対の軸受部と、この軸受部に軸支される軸の軸線と直交する向の線と平行した一対の第２摺動溝とが形成され、これら各一対の軸受部と第１摺動溝及び第２摺動溝にＸ字状に組立てられた一対のリンク部材の各一端に形成した軸を係合させてパンタグラフ機構を構成し、このパンタグラフ機構によって上記キィートップを水平姿勢に維持して上下動させるキィーボードスイッチにおいて、上記ハウジングの上記キィートップ装着側の面に上記ハウジングの面から間隔を保持して一対の天井板が取付けられ、これら一対の天井板と上記ハウジングの間に形成された間隙によって上記一対の第１摺動溝が形成され、上記一対の天井板の互に向き合う側面は互いに平行な部分と、これら平行な部分とそれぞれ連続し、上記軸受部から離れるに従って漸次間隔が大きくなる切欠部分とを有する構造としたものである。
【００１３】
【発明の実施の形態】
図１に示す実施例を用いてこの発明の実施の形態を詳細に説明する。
この発明では、パンタグラフ機構によってキィートップ８を上下動自在に支持する構造のキィーボードスイッチにおいて、図１に示すように、ハウジング３のキィートップ８の装着側の面に、軸７Ｃの直径よりわずかに大きい間隔を保持して一対の天井板３Ｃを設け、この一対の天井板３Ｃとハウジング３の面との間に形成される間隙によって互いに平行した一対の摺動溝３Ｂを形成する。この一対の摺動溝３Ｂを構成する一対の天井板３Ｃの互いに向き合う側面は互いに平行な部分と、これら平行な部分とそれぞれ連続し軸受部３Ａから離れるに従って漸次間隔Ｌ（図１参照）が大きくなる切欠部分３Ｄとを具備する構造とした点を特徴とするものである。
【００１４】
この切欠部分３Ｄを設けておくことにより、リンク部材７の軸７Ｃを摺動溝３Ｂに挿入して組立てる際に、天井板３Ｃの対向間隔Ｌが漸次大きくなる向の傾斜が与えられた切欠部分３Ｄを通じて軸７Ｃを天井板３Ｃの裏側に通過させることにより、軸７Ｃは図２に示すように天井板３Ｃの対向間隔Ｌより大きい対向間隔部分を通過させることができるからリンク部材７を大きく湾曲させなくても軸７Ｃを天井板３Ｃの裏側に通過させることができる。
【００１５】
【発明の効果】
以上説明したように、この発明によればハウジング３に形成した摺動溝３Ｂに、リンク部材７の軸７Ｃを挿入するための切欠部分３Ｄを天井板３Ｃの角に形成したから、この切欠部分３Ｄを通じてリンク部材７の軸７Ｃを天井板３Ｃの裏側に挿入することにより、リンク部材７を大きく湾曲させることなく軸７Ｃを摺動溝３Ｂに挿入することができる。
【００１６】
この結果、リンク部材７を弾性限界範囲以上に湾曲させてしまう事故の発生を抑えることができる。またキィートップを小形化し、これに伴なってリンク部材７の寸法が短かくなっても、リンク部材７を大きく変形することなく摺動溝３Ｂに軸７Ｃを挿入することができるから、小形化したリンク部材も破損することなく、ハウジング３に装着することができる。また自動組立装置によって組立を自動化する場合も容易に組立を実行させることができる利点が得られる。
【００１７】
結果、この発明によれば組立を容易に行なうことができ、その効果は製造上は元より、実用上においても頗る大である。
【図面の簡単な説明】
【図１】この発明で提案した実施形態を説明するための斜視図。
【図２】この発明の要部の組立状態を説明するための拡大平面図。
【図３】従来の技術を説明するための断面図。
【図４】図３に示した実施例に用いたメンブレンシートと、ドーム状体の構造の一例を示す断面図。
【図５】パンタグラフ機構を構成するリンク部材の構造を説明するための分解斜視図。
【図６】従来のハウジングの構造を説明するための斜視図。
【符号の説明】
１    基板
２    メンブレンシート
３    ハウジング
３Ａ    軸受部
３Ｂ    摺動溝
３Ｃ    天井板
３Ｄ    切欠部分
４    孔
５    ドーム状体
６，７    リンク部材
６Ｃ，７Ｃ    軸
８    キィートップ
８Ｃ    開口部
８Ｄ    壁面
【図１】
0003570584.tif 000002
【図２】
0003570584.tif 000003
【図３】
0003570584.tif 000004
【図４】
0003570584.tif 000005
【図５】
0003570584.tif 000006
【図６】
0003570584.tif 000007